(57)【要約】【課題】容易で安価に製作でき、携帯用のフレームと共に板状にまとめて収納、携帯できる手芸用織機の開口形成具を提供する。【解決手段】フレーム１に予め定められたピッチｐで多数が並配された経糸４１とフレームの間に配置可能な長方形の板状部材からなる本体部５１を備える。本体部５１の一方の長辺に経糸の２ピッチ間隔を隔て経糸が保持される経糸保持溝部５２が形成され、隣接する経糸保持溝部の間に経糸を保持凹部５３ａで保持する経糸保持片部５３が形成されている。本体部５１を引き起こし操作することにより、経糸保持片部５３の保持凹部５３ａで保持された経糸を、経糸保持溝部５２で保持された経糸に対して移動させて、杼口５７を形成する。更に開口形成具５０を経糸のピッチ分移動して同じ動作をして経糸の上下位置を変更する。【選択図】図３
2018096011.tif 000002
【特許請求の範囲】
【請求項１】
フレームに予め定められたピッチで多数が並配された経糸と前記フレームの間に配置可能であって長方形の板状部材からなる本体部を備え、
前記本体部の長辺に前記経糸の所定の複数ピッチ間隔を隔て、それぞれ所定の本数の経糸が入り込んで保持される複数の経糸保持溝部が形成され、
隣接する前記経糸保持溝部の間に前記経糸保持溝部に入り込む経糸の間に配置される経糸を先端辺で保持する複数の経糸保持片部が形成され、
前記本体部の配置方向を回転軸として引き起こし操作することにより、前記経糸保持片部の先端辺で保持された経糸を、前記経糸保持溝部で保持された経糸に対して移動させて、前記経糸保持溝部に保持された経糸と前記経糸保持片部に保持されている経糸とにより杼口を形成することを特徴とする手芸用織機の開口形成具。
【請求項２】
前記多数の経糸が所定のピッチで並設される２つの糸保持辺部と、この糸保持辺部の両端部を接続する接続辺部とを備え、前記糸保持辺部と前記接続辺部で囲まれた長方形状の開口部を備えたフレームと共に使用されるものであり、
前記本体部の他方の長辺の側には、前記開口部の内幅寸法より小さい幅寸法であり、幅方向の両端部を前記接続辺部の一方及び他方に交互に接触するようにフレームの開口内で幅方向に移動させたとき、移動させる経糸を変更させるように前記本体部を位置決めする位置決突起部を備えることを特徴とする請求項１に記載の手芸用織機の開口形成具。
【請求項３】
前記経糸保持片部の先端辺には、経糸を保持する保持凹部が形成されていることを特徴とする請求項１又は請求項２に記載の手芸用織機の開口形成具。
【請求項４】
前記経糸保持溝部及び経糸保持片部は、前記板状部材の両側の長辺に設けられていることを特徴とする請求項１から請求項３までの何れか一項に記載の手芸用織機の開口形成具。
【請求項５】
前記本体部は、木製合板、木質ボード、ファイバーボード、又は合成樹脂板からなることを特徴とする請求項１から請求項４までの何れか一項に記載の手芸用織機の開口形成具。
【発明の詳細な説明】
【技術分野】
【０００１】
本発明は、手芸用織機のフレームに張られた経糸に杼口を形成する開口形成具に関する。
【背景技術】
【０００２】
手芸用織機として、多数の経糸を張設するフレームと、経糸を所定の本数ごとに交互に上下移動させて杼口を形成する開口形成具を使用するものがある。このような手芸用織機のフレームとして４つの棒状の枠部材を組み合わせて長方形状とし、対向する２本の枠部材に所定のピッチで経糸を掛ける溝部やピンを多数設けたものである。また、開口形成具として、四角柱状、円柱状の棒状部材に、経糸のピッチで交互に異なる傾斜の斜面を備えた溝部を形成したものが提案されて使用されている。
【０００３】
特許文献１には、長方形に組まれた枠台に配置して経糸に開口を形成するために溝部を形成した四角棒が記載されている。この四角棒には、異なる傾斜を備えた２種の底部を備えた溝部を交互に経糸のピッチで形成されており、四角棒を回転させることにより、経糸を交互に上下動させて杼口を形成することができる。
【０００４】
また、特許文献２には、長方形に組まれた枠台に配置して経糸に開口を形成するために溝部を形成した操作棒が記載されている。この操作棒には、異なる傾斜を備えた２種の傾斜溝が交互に経糸のピッチで形成されており、この操作棒を回転させることにより、経糸を交互に上下動させて杼口を形成することができる。
【０００５】
更に、特許文献３には、基台に配置して経糸に杼口を開口させるための綜絖装置が記載されている。この綜絖装置は、回動可能に支持される回動軸と、この回動軸に列設された経糸を綜統するためのカムとから構成される。綜絖装置を回転させることにより、カムにより経糸を交互に上下動させ杼口を形成することができる。
【先行技術文献】
【特許文献】
【０００６】
【特許文献１】実公昭１３−８４９４号公報
【特許文献２】実公昭３０−３９６５号公報
【特許文献３】実開昭５６−１７０２８３号公報
【発明の概要】
【発明が解決しようとする課題】
【０００７】
しかし、上述した従来の手芸用織機の開口形成具は何れも立体的な構造を備えるものである。このため、携帯に不便である他製作に手間がかかるという問題がある。ここで、フレームとして平板を加工して製作した携帯用のものがあり、立体的な開口形成具はこのフレームと組み合わせると嵩張り、携帯に不便である。また、部材の立体的な加工には手間や特殊な工具が必要となる。
【０００８】
本発明は上述した課題に鑑みてなされたものであり、容易で安価に製作でき、携帯用のフレームと共に板状にまとめて収納、携帯できる手芸用織機の開口形成具を提供することを目的とする。
【課題を解決するための手段】
【０００９】
前記課題を解決する請求項１に記載の発明は、フレームに予め定められたピッチで多数が並配された経糸と前記フレームの間に配置可能であって長方形の板状部材からなる本体部を備え、前記本体部の一方の長辺に前記経糸の所定の複数ピッチ間隔を隔て、それぞれ所定の本数の経糸が入り込んで保持される複数の経糸保持溝部が形成され、隣接する前記経糸保持溝部の間に前記経糸保持溝部に入り込む経糸の間に配置される経糸を先端辺で保持する複数の経糸保持片部が形成され、前記本体部の配置方向を回転軸として引き起こし操作することにより、前記経糸保持辺部の先端辺で保持された経糸を、前記経糸保持溝部で保持された経糸に対して移動させて、前記経糸保持溝部に保持された経糸と前記経糸保持片部に保持されている経糸とにより杼口を形成することを特徴とする手芸用織機の開口形成具である。
本発明によれば、手芸用織機の開口形成具は、板状部材からなる本体部に経糸の複数ピッチを隔てて経糸保持溝部が形成され、この経糸保持溝部の間に経糸保持片部が形成されている。
よって、薄型であり携帯しやすい他、板材を切り抜き加工して製造できるため、一般的な工具で簡単に製造できる他、経糸保持溝と経糸保持片部を形成する間隔の設定することで、平織、綾織等の様々な織組織の布を製織できる。
【００１０】
同じく請求項２に記載の発明は、前記多数の経糸が所定のピッチで並設される２つの糸保持辺部と、この糸保持辺部の両端部を接続する接続辺部とを備え、前記糸保持辺部と前記接続辺部で囲まれた長方形状の開口部を備えたフレームと共に使用されるものであり、前記本体部の他方の長辺の側には、前記開口部の内幅寸法より小さい幅寸法であり、幅方向の両端部を前記接続辺部の一方及び他方に交互に接触するようにフレームの開口内で幅方向に移動させたとき、移動させる経糸を変更させるように前記本体部を位置決めする位置決突起部を備えることを特徴とする。
本発明によれば、手芸用織機の開口形成具は、フレームと共に使用されるものであり、本体部の他方の長辺の側には、前記開口部の内幅寸法より小さい幅寸法であり、幅方向の両端部を前記接続辺部の一方及び他方に交互に接触するようにフレーム開口内で幅方向に移動させたとき、移動させる経糸を変更させるように本体部を位置決めする位置決突起部を備える。
よって、開口形成具のフレームの開口部に配置した状態で、位置決突起部の両端を接続片部に交互に接触するように移動させることにより、上下動させる経糸を簡単に変更できる。
【００１１】
同じく請求項３に記載の発明は、前記経糸保持片部の先端辺には、経糸を保持する保持凹部が形成されていることを特徴とする。
本発明によれば、経糸保持片部の先端辺には保持凹部が形成されている。
よって、経糸を経糸保持片部で確実に保持できる。
【００１２】
同じく請求項４に記載の発明は、前記経糸保持溝部及び経糸保持片部は、前記板状部材の両側の長辺に設けられていることを特徴とする。
本発明によれば、板状部材の両側に経糸保持部及び経糸保持片が設けられている。
このため、１つの手芸用織機の開口形成具で異なる設定の経糸保持部及び経糸保持片を配置でき、多様な織組織の製織を行うことができる。
【００１３】
同じく請求項５に記載の発明は、前記本体部は、木製合板、木質ボード、ファイバーボード、又は合成樹脂板からなることを特徴とする。
本発明によれば、本体部を木製合板、木質ボード、ファイバーボード、又は合成樹脂板で構成することができる。
よって、手芸用織機の開口形成具を一般に流通している安価で必要な強度を備えた素材で構成することができる。
【発明の効果】
【００１４】
本発明に係る手芸用織機の開口形成具によれば、容易で安価に製作でき、携帯用のフレームと共に板状にまとめて収納、携帯できるものとできる。
【００１５】
即ち、請求項１に記載の手芸用織機の開口形成具によれば、手芸用織機の開口形成具は、板状部材からなる本体部に経糸の複数ピッチを隔てて経糸保持溝部が形成され、この経糸保持溝部の間に経糸保持片部が形成されているので、薄型であり携帯しやすい他、板材を切削加工することや三次元プリンタで容易に製造できる他、経糸保持溝と経糸保持片部を形成する間隔の設定することで、平織、綾織等の様々な織組織の布を製織できる。
【００１６】
また、請求項２に記載の手芸用織機の開口形成具によれば、手芸用織機の開口形成具は、フレームと共に使用されるものであり、本体部の他方の長辺の側には、前記開口部の内幅寸法より小さい幅寸法であり、幅方向の両端部を前記接続辺部の一方及び他方に交互に接触するようにフレーム開口内で幅方向に移動させたとき、移動させる経糸を変更させるように本体部を位置決めする位置決突起部を備えるので、開口形成具のフレームの開口部に配置した状態で、位置決突起部の両端を接続片部に交互に接触するように移動させることにより、上下動させる経糸を簡単に変更できる。
【００１７】
また、請求項３に記載の手芸用織機の開口形成具によれば、経糸保持片部の先端辺には保持凹部が形成されているので、経糸を経糸保持片部で確実に保持できる。
【００１８】
また、請求項４に記載の手芸用織機の開口形成具によれば、板状部材の両側に経糸保持部及び経糸保持片が設けられているので、１つの手芸用織機の開口形成具で異なる設定の経糸保持部及び経糸保持片を配置でき、多様な織り方の織りを行うことができる。
【００１９】
更に、請求項５に記載の手芸用織機の開口形成具によれば、本体部は、木製合板、木質ボード、ファイバーボード、又は合成樹脂板からなることを特徴とする。
本発明によれば、本体部を木製合板、木質ボード、ファイバーボード、又は合成樹脂板で構成することができるので、手芸用織機の開口形成具を一般に流通している安価で必要な強度を備えた素材で構成することができる。
【図面の簡単な説明】
【００２０】
【図１】本発明の第１実施形態に係る手芸用織機の開口形成具と共に製織に使用するフレームを示す図であり、（ａ）は平面図、（ｂ）は（ａ）中のＢ−Ｂ線に相当する断面図、（ｃ）は（ａ）中のＣ−Ｃ線に相当する断面図、（ｄ）は（ａ）中のＤ−Ｄ線に相当する断面図である。
【図２】本発明の第１実施形態に係る手芸用織機の開口形成具を示す図であり、（ａ）は正面図、（ｂ）は底面図、（ｃ）は右側面図、（ｄ）は（ａ）中のＤ−Ｄ線に相当する断面図、（ｅ）は（ａ）中のＥ−Ｅ線に相当する断面図である。
【図３】同手芸用織機の開口形成具と図２に示したフレームとを使用しての製織の状態を示す模式図である。
【図４】他の実施形態に係る手芸用織機の開口形成具を示す正面図である。
【図５】本発明の第２第１実施形態に係る手芸用織機の開口形成具とこの開口形成具を使用した経糸の開口状態を示す模式図である。
【発明を実施するための形態】
【００２１】
本発明を実施するための形態に係る手芸用織機の開口形成具について説明する。本実施形態に係る開口形成具５０は、多数の経糸を等間隔に配置するフレーム１と共に使用する。開口形成具５０は、フレーム１に設置される経糸のピッチｐやフレーム１の構造、寸法によりその構成が定まる。このため、まずフレーム１について説明する。
【００２２】
図１は本発明の実施形態に係る手芸用織機の開口形成具と共に製織に使用するフレームを示す図であり、（ａ）は平面図、（ｂ）は（ａ）中のＢ−Ｂ線に相当する断面図、（ｃ）は（ａ）中のＣ−Ｃ線に相当する断面図、（ｄ）は（ａ）中のＤ−Ｄ線に相当する断面図である。
【００２３】
このフレーム１は、木質ボードである厚さ４ｍｍのＭＤＦ（Ｍｅｄｉｕｍ  Ｄｅｎｓｉｔｙ  Ｆｉｂｅｒｂｏａｒｄ：中密度繊維板）で構成されたフレーム本体１０を、レーザーにより切断加工、切り抜き加工して形成している。なお、フレームはＭＤＦに限らず、他の板状部材、例えば木製合板、木質ボード、ファイバーボード、アクリル板等の合成樹脂板を使用することができる。また、レーザー切断加工に限らず、刃物による切削、型抜き、型成型等、他の方法で製造することができる。
【００２４】
本実施形態に係る手芸用織機のフレーム１は、長方形状のフレーム本体１０の中央に長方形の開口部１５を形成している。そして、フレーム本体１０の短辺側に糸保持辺部１１、１２、長辺側に接続辺部１３、１４を形成している。糸保持辺部１１、１２の間には、経糸４１（４１ａ、４１ｂ）が並配、張設される。また、接続辺部１３、１４は、糸保持辺部１１、１２の両端を連結する。フレーム本体１０は、例えば長辺２８０ｍｍ、短辺２２０ｍｍ、開口部１５は長辺２２０ｍｍ、短辺２００ｍｍであり、糸保持辺部１１、１２はそれぞれ３０ｍｍ、接続辺部１３、１４はそれぞれ１０ｍｍの幅寸法を備える。なお、経糸４１については、奇数番については経糸４１ａ、偶数番については経糸４１ｂ、順番を問わないとき、単に経糸４１として説明する。
【００２５】
糸保持辺部１１には、経糸４１が配置できる第１溝部２１、第２溝部２２が形成されている。第１溝部２１は例えば幅２．５ｍｍであり、糸保持辺部１１の端縁１１ａから開口部１５側に向けて第１の深さ寸法（ｄ１）である１２．５ｍｍとして形成される。また、第２溝部２２は幅２．５ｍｍであり、糸保持辺部１１の端縁１１ａから開口部１５側に向けて第１の寸法より小さい第２の深さ寸法（ｄ２）である１０．０ｍｍとして形成される。この例では、第１溝部２１と、第２溝部２２のピッチＰは５ｍｍとしている。
【００２６】
次に本実施形態に係るフレーム１への経糸の配置状態について説明する。本実施形態に係るフレーム１では、第１溝部２１、第１溝部３１の間に経糸４１ａを掛け渡し、第２溝部２２と第２溝部３２の間に経糸４１ｂを掛け渡す。この場合、経糸４１ａ、４１ｂのピッチＰは５ｍｍとなる（図３（ａ）参照）。
【００２７】
なお、第１溝部、第２溝部を適宜選択して経糸を掛け渡せば５ｍｍの倍数とした他のピッチ、例えば１０ｍｍ、１５ｍｍ…のピッチで経糸を配置することができる。このように、フレーム１に多数の経糸４１を掛け渡した状態で、経糸を通して手織りを行う。通常、緯糸は、杼や針を使用して所定の本数の経糸ごとに上下に通す。これにより織布を製織する。
【００２８】
＜第１実施形態＞
次に本発明の第１実施形態に係る開口形成具５０について説明する。図２は本発明の第１実施形態に係る手芸用織機の開口形成具を示す図であり、（ａ）は正面図、（ｂ）は底面図、（ｃ）は右側面図、（ｄ）は（ａ）中のＤ−Ｄ線に相当する断面図、（ｅ）は（ａ）中のＥ−Ｅ線に相当する断面図である。この開口形成具５０は、平織を行うために使用する。
【００２９】
図２に示すように、開口形成具５０は、フレーム１に張設された経糸４１とフレーム１の間に配置可能な板状部材である長方形板状の本体部５１を備える。この開口形成具５０は厚さ４ｍｍのＭＤＦをレーザーで切断加工、切り抜き加工して製造されている。なお、開口形成具５０の素材は、ＭＤＦに限らず、他の板状部材、例えば木製合板、木質ボード、ファイバーボード、アクリル板等の合成樹脂板を使用することができる。また、レーザー切削加工に限らず、刃物による切削、型抜き、型成型等、他の方法で製造することができる。
【００３０】
開口形成具５０において、本体部５１の一方の長辺にフレーム１に配置される経糸４１の２ピッチ間隔（１０ｍｍ）を隔て、それぞれ１本の経糸４１が入り込んで保持される複数の経糸保持溝部５２が並設されている。そして、隣接する経糸保持溝部５２の間には、経糸保持溝部５２に入り込む経糸４１の間に配置される経糸４１を先端辺に形成された保持凹部５３ａで保持する複数の経糸保持片部５３が並設されている。
【００３１】
開口形成具５０において、本体部５１の他方の長辺の側には、フレーム１の開口部１５の内幅寸法より、経糸ピッチの整数倍、例えば１ピッチ（５ｍｍ）だけ小さい幅寸法の位置決突起部５４が形成されている。本体部５１の両端部には、フレーム１の接続辺部１３、１４に接触保持される保持部５５、５６が形成されている。位置決突起部５４をフレーム１の開口部１５内に配置し、保持部５５、５６の下辺部５５ａ、５６ａをフレーム１の接続辺部１３、１４に接触させて開口形成具５０をフレーム１に配置する。
【００３２】
開口形成具５０は、幅寸法Ｗ：２３０ｍｍ、高さ寸法Ｔ：２８ｍｍ、位置決突起部５４の幅寸法Ｗａ：２３０ｍｍ、経糸保持溝部５２の深さ寸法ｄ：１５ｍｍ、保持部５５の切欠寸法Ｃ１：１５ｍｍ、保持部５６の切欠寸法Ｃ２：２０ｍｍである。開口形成具５０の各寸法は使用するフレーム１の寸法に応じて定め。即ち、経糸保持溝部５２と保持凹部５３ａの間隔は、フレーム１において張設される経糸４１のピッチｐで定まる。また、深さ寸法ｄは形成するべき杼口の高さ寸法により定まる。また、位置決突起部５４の幅寸法Ｗａは、フレーム１の開口部１５の寸法、配置する経糸のピッチにより、開口形成具５０を左右に移動したとき、各経糸保持溝部５２、保持凹部５３ａが１ピッチに相当する分だけ移動して上下動させる経糸を変更できる値とする。
【００３３】
更に、開口形成具５０の幅寸法Ｗ、位置決突起部５４の切欠寸法Ｃは、開口形成具５０をフレーム１の開口部１５に設置し、位置決突起部５４を開口部１５内で移動させたとき、保持部５５、５６の下辺部５５ａ、５６ａが接続辺部１３、１４から外れない値とする。
【００３４】
これにより、位置決突起部５４は、幅方向の左側端５４ａ、及び右側端５４ｂを接続辺部１３、１４の一方及び他方に交互に接触するように開口部１５内で幅方向に移動させたとき、上下に移動させる経糸を、奇数番、偶数番ごとに交互に上下動させるように本体部５１を位置決めすることができる。
【００３５】
次にフレーム１と開口形成具５０を使用して織物を製織する手順について説明する。図３は同手芸用織機の開口形成具と図２に示したフレームとを使用しての製織の状態を示す模式図である。図３（ａ）に示すように、フレーム１には、第１溝部２１、３１と第２溝部２２、３２の間に１番〜３９番の経糸４１が配置される、奇数番を経糸４１ａ、偶数番を経糸４１ｂとして示す。
【００３６】
次に開口形成具５０を３９本の経糸４１とフレーム１との間に差し入れ、３９本の経糸４１と接続辺部１３、１４との間に配置する。そして、図３（ｂ）に示すように、位置決突起部５４の右側端５４ｂを開口部１５の右側に配置された接続辺部１４の内側面１４ａに接触させて、開口形成具５０を、緯糸の配置方向を回転軸として上側を手前に引き起こし操作する。
【００３７】
これにより、奇数番の経糸４１ａは、経糸保持溝部５２に、偶数番の経糸４１ｂは経糸保持片部５３の保持凹部５３ａに保持される。すると、図３（ｄ）に示すように、奇数番の経糸４１ａが上側、偶数番の経糸４１ｂが下側になり、杼口５７が形成される。
【００３８】
この杼口５７に杼等を用いて緯糸を通した後、筬打ちした後、開口形成具を水平に戻し、開口形成具５０を図３（ｃ）に示すように左側に移動する。そして位置決突起部５４の右側端５４ｂを接続辺部１３の内側面１３ａに接触させる。更に、開口形成具５０を、緯糸の配置方向を回転軸として上側を手前に引き起こす。これにより、奇数番の経糸４１ａは、経糸保持片部５３の保持凹部５３ａに、偶数番の経糸４１ｂは、経糸保持溝部５２に保持される。この状態で、図３（ｅ）に示すように、奇数番の経糸４１ａが下側、偶数番の経糸４１ｂが上側になり杼口５７が形成される。この杼口５７に杼等を用いて緯糸を通し、筬打ちする。この操作を繰り返すことにより、経糸４１に緯糸を織り込んで織布を製織することができる。
【００３９】
＜第１実施形態の変形例＞
次に他の実施形態に係る手芸用織機の開口形成具について説明する。図４は他の実施形態に係る手芸用織機の開口形成具を示す正面図である。上記例では、経糸４１をフレーム１の第１溝部２１、３１、第２溝部２２、３２に配置して、ピッチを５ｍｍとした例について説明した。ここで、経糸４１を糸保持辺部１１側の第１溝部２１だけに配置すると、経糸のピッチは１０ｍｍになる。この場合には、図４に示す開口形成具６０を使用する。この開口形成具６０は、上述した開口形成具５０と同様の基本構成を備える。即ち、開口形成具６０は、厚さ４ｍｍのＭＤＦをレーザー加工で切断して本体部６１、経糸保持溝部６２、経糸保持片部６３、凹部６３ａ、位置決突起部６４、保持部６５、６６を形成している。ここで、経糸保持溝部６２の配置間隔Ｐ１を１０ｍｍ、経糸保持溝部６２と経糸保持片部６３の凹部６３ａとの配置間隔ｐ１を５ｍｍとする。これにより、フレーム１にピッチ１０ｍｍで配置した経糸に杼口を形成することができる。
【００４０】
なお、上述した開口形成具５０と開口形成具６０に相当する経糸保持溝部５２、経糸保持片部５３、経糸保持溝部６２、経糸保持片部６３を一枚の本体部の両側の辺部に形成することができる。これにより、１つの手芸用織機の開口形成具で異なるピッチで配置した経糸に対応することができる。
【００４１】
＜第２実施形態＞
次に第２実施形態に係る開口形成具７０は、綾織を行うためのものである。開口形成具７０は、経糸のうち並設された１本の経糸を挟む２本の経糸を順次持上げて開口を形成し、この開口に緯糸を配置して製織を行う。本実施形態に係る開口形成具７０は、本体部７１の２つの長辺７１Ａ、７１Ｂのうち、一方の長辺７１Ａに経糸保持溝部７２と経糸保持片部７３とを形成し、他方の長辺７１Ｂに経糸保持溝部８２と経糸保持片部８３とを形成している。
【００４２】
また、長辺７１Ｂの両端には、保持部７５、７６を切欠形成し、この保持部７５、７６の間を位置決突起部７４として機能させる。
【００４３】
本実施形態に係る開口形成具７０は、幅寸法Ｗ：２３０ｍｍ、高さ寸法Ｔ：４０ｍｍ、位置決突起部５４の幅寸法Ｗａ：１９３ｍｍ、経糸保持溝部５２の深さ寸法ｄ：１５ｍｍ、保持部７５の切欠寸法Ｃ１：１５ｍｍ、保持部７６の切欠寸法Ｃ２：２１ｍｍである。これにより、位置決突起部７４の両端をフレーム１の両端に交互に接触させることにより、長辺７１Ａにおける経糸保持溝部７２、凹部７３ａ、７３ｂの配置位置を経糸の１ピッチ分だけずらすことができる。
【００４４】
また、経糸保持溝部７２、経糸保持片部８２は、経糸の３ピッチごとに設けられる。更に、経糸保持片部７３、８３には、経糸を保持する凹部７３ａ、７３ｂ、８３ａ、８３ａが形成されている。これにより、経糸保持溝部７２、凹部７３ａ、７３ｂは経糸の１ピッチごとに配置され、経糸保持溝部８２、凹部８３ａ、８３ｂは経糸の１ピッチごとに配置される。更に、長辺７１Ａ及び長辺７１Ｂにおいて、経糸保持溝部７２、凹部７３ａ、７３ｂと、経糸保持溝部８２、凹部８３ａ、８３ｂとは経糸の１ピッチ分だけずらして構成される。なお、開口形成具７０では、後述するように、開口形成具７０の移動に対応させるため、左端に形成された経糸保持溝部７２の左側にも凹部７３ｂを形成している。
【００４５】
次にフレーム１と開口形成具７０を使用して綾織の織物を製織する手順について説明する。まず、フレーム１に開口形成具７０配置する。この状態では、フレーム１には多数の経糸が所定のピッチで配置されている。図５では、左から１番の経糸、２番の経糸、３番の経糸を示しているが、他の経糸も同様に同じ順に配置されている。
【００４６】
フレーム１に張られた経糸とフレーム１との間に開口形成具７０を配置し、保持部７５をフレーム１の接続辺部１３と一致させる。これにより、３本並んだ１番の経糸、２番の経糸、３番の経糸のうち１番の経糸の位置に経糸保持溝部７２が配置され、同様に、２番の経糸、３番の経糸の位置に経糸保持片部７３の凹部７３ａ、７３ｂが配置される。また、図示している経糸以外の経糸も同様に経糸保持溝部７２、凹部７３ａ、７３ｂに配置される。この状態で、図５（ａ）に示すように、開口形成具７０を立てるように傾けると、１番の経糸が経糸保持溝部７２に入り込み、２番の経糸、３番の経糸が経糸保持片部７３で持上げられる。他の経糸も同様に移動し、開口が形成される。この開口に杼等を用いて緯糸を通した後、筬打ちする。
【００４７】
次いで、開口形成具７０を右方向（図5（ｂ）中矢印Ｓ）にずらして保持部７６をフレーム１の接続辺部１４の位置に合わせる。これにより、開口形成具７０は、経糸の１ピッチ分だけ移動する。よって、３本並んだ１番の経糸、２番の経糸、３番の経糸のうち２番の経糸の位置に経糸保持溝部７２が配置され、同様に、１番の経糸、３番の経糸の位置に経糸保持片部７３の凹部７３ａ、７３ｂが配置される。図示している経糸以外の経糸も同様に経糸保持溝部７２、凹部７３ａ、７３ｂに配置される。この状態で、図５（ｂ）に示すように、開口形成具７０を傾けると、２番の経糸が経糸保持溝部７２に入り込み、１番の経糸、３番の経糸が経糸保持片部７３で持上げられる。他の経糸も同様に移動し、開口が形成される。この開口に杼等を用いて緯糸を通した後、筬打ちする。
【００４８】
更に、開口形成具７０の長辺７１Ｂ側を使用して開口を形成する。このとき、保持部７５をフレーム１の接続辺部１３の位置に合わせ、長辺７１Ａをフレーム１に当てた状態で、開口形成具７０の長辺７１Ｂを持上げる。これにより、３本並んだ１番の経糸、２番の経糸、３番の経糸のうち３番の経糸の位置に保持溝部８２が配置され、同様に、１番の経糸、２番の経糸の位置に経糸保持片部８３の凹部８３ａ、８３ｂの位置に配置される。図示している経糸以外の経糸も同様に経糸保持溝部８２、凹部８３ａ、８３ｂも配置される。この状態で、図５（ｃ）に示すように、開口形成具７０を傾けると、３番の経糸が経糸保持溝部８２に入り込み、１番の経糸、２番の経糸が経糸保持片部８３で持上げられる。他の経糸も同様に移動し、開口が形成される。この開口に杼等を用いて緯糸を通した後、筬打ちする。
【００４９】
この手順を繰り返すことにより、フレーム１に設けた多数の経糸に所定の状態で順次緯糸を通して綾織を行うことができる。ここで、開口形成具７０に付してある「１」、「２」、「３」の表示は、開口形成の順を示している。また、長辺７１Ａの両端に切欠７６を形成しておくと、開口形成具７０を反転した状態で、開口形成具７０を傾けるときに経糸の持ち上がり量が減少して作業を容易なものとできる。
【００５０】
更に、上記例では、３本を単位として綾織をする場合について説明したが、経糸４本以上を単位として別の織模様を作ることができる。この場合は経糸保持溝部７２、８２を経糸４本ごとに設け、長辺７１Ａ側に位置決突起部を形成するため保持部７５、切欠７６に相当する切欠を形成する。これにより、長辺７１Ａ側、長辺７１Ｂ側を使用して、４本を単位とする織模様を作ることができる。
【００５１】
なお、上述した実施形態では、製織に際してはフレーム１に１つの開口形成具５０、６０、７０を使用した例について説明したが、複数の開口形成具を使用すれば、1回の製織で１枚の布に、平織の部分、綾織の部分等を組み合わせることができる。また、経糸保持溝部、経糸保持片部が対応する経糸の本数を適宜変更することができ、所望の織組織の織製に対応できる。
【産業上の利用可能性】
【００５２】
本発明に係る手芸用織機の開口形成具は、容易で安価に製作でき、携帯用のフレームと共に板状にまとめて収納、携帯できるので、産業上の利用可能性がある。
【符号の説明】
【００５３】
１：フレーム
１０：フレーム本体
１１、１２：糸保持辺部
１３、１４：接続辺部
１５：開口部
２１、３１：第１溝部
４１、４１ａ、４１ｂ：経糸
５０：開口形成具
５１：本体部
５２：経糸保持溝部
５３：経糸保持片部
５３ａ：保持凹部
５４：位置決突起部
５５、５６：保持部
５７：杼口
【図１】
2018096011.tif 000003
【図２】
2018096011.tif 000004
【図３】
2018096011.tif 000005
【図４】
2018096011.tif 000006
【図５】
2018096011.tif 000007